(57)【要約】【課題】建築物のコンセントタップの形状や、周囲の環境に対応させて、正確に震度を検出して震度に応じて適切に漏電ブレーカを遮断することができる感震式ブレーカ制御装置を提供する。【解決手段】ブレーカ制御装置１は、ケース２と、ケース２から突出する一対の差込プラグ３と、アースピン５とを備えている。ケース２には、加速度センサ６、制御部７が内蔵されている。制御部７は、震度を判定する判定部８と、警報部９等を備える。ケース２の対向面２ａには、ブレーカ制御装置１をコンセントタップ３０に取り付けた際に、ケース２の姿勢を調整する角度修正部２３が設けられている。この角度修正部２３は、表面に雄ねじ部２３ａが形成されたねじ部材であり、ケース２に設けられた雌ねじ部２４にねじ結合されて対向面２ａから進退自在に形成されている。【選択図】図２
2019040704.tif 000002
【特許請求の範囲】
【請求項１】
コンセントタップを備えた建築物に保持されるケースと、
コンセントタップに差し込まれる差込プラグと、
前記コンセントタップのアース端子に接続されるアース端子と、
地震による揺れを検知する地震検知部と、
前記建築物に設けられた漏電ブレーカを作動させて電源の遮断を行うブレーカ作動部とを備え、
前記地震検知部は、加速度により震度を検知する加速度検知部と、前記ケースが前記建築物に保持された際に、前記ケースの基準設置状態に対する角度を検知する角度検知部を有し、
前記ケースは、前記建築物に保持された際の角度を修正して前記基準設置状態にすることが可能な角度修正手段を備えていることを特徴とする感震式ブレーカ制御装置。
【請求項２】
請求項１に記載の感震式ブレーカ制御装置であって、
前記角度修正手段は、前記ケースに設けられた雌ねじ部にねじ結合され、前記ケースに対して進退自在に形成された雄ねじ部を有し、
前記ケースの表面側に露出し、前記ケースを前記建築物に保持した状態で表面側から回転可能であることを特徴とする感震式ブレーカ制御装置。
【請求項３】
請求項１に記載の感震式ブレーカ制御装置であって、
前記角度修正手段は、前記ケースに設けられた凹部と、前記凹部に差し込むことで固定される突出部材であり、
前記突出部材は、前記凹部に差し込まれる向きを変更することにより、前記ケースからの突出量を変更可能であることを特徴とする感震式ブレーカ制御装置。
【請求項４】
請求項１乃至３のいずれか一項に記載の感震式ブレーカ制御装置であって、
前記差込プラグが前記ケースに着脱自在に形成されており、前記差込プラグに代えて、前記ケースとは別個に設けられ前記ケースから延びる延長差込プラグを装着可能であることを特徴とする感震式ブレーカ制御装置。
【請求項５】
請求項１乃至４のいずれか一項に記載の感震式ブレーカ制御装置であって、
前記地震検知部の検知結果を記憶する不揮発性メモリからなる記憶部と、
前記差込プラグが前記コンセントタップに差し込まれた際に、所定時間、前記地震検知部による検知を確保する蓄電部と、
前記記憶部における検知結果を消去するキャンセル手段とを備えていることを特徴とする感震式ブレーカ制御装置。
【請求項６】
請求項１乃至５のいずれか一項に記載の感震式ブレーカ制御装置であって、
前記アース端子は、３穴のコンセントタップのアース用の穴に挿入可能なアースピンが着脱自在に形成されると共に、前記アースピンを取り外して２穴のコンセントタップのアース端子に導通ケーブルを介して接続可能に形成され、
前記ケースは、前記建築物に対面する対向面に、前記導通ケーブルとの干渉を防止するケーブル用溝が設けられていることを特徴とする感震式ブレーカ制御装置。
【発明の詳細な説明】
【技術分野】
【０００１】
本発明は、地震を検知して漏電ブレーカを遮断する感震式ブレーカ制御装置に関する。
【背景技術】
【０００２】
従来より、所定の震度の地震が発生した際に漏電ブレーカを遮断して、建築物内の電気機器による火災等が発生しないように構成されたコンセントタップ差し込み型の感震式ブレーカ制御装置が知られている。
【０００３】
例えば、特許文献１には、コンセントタップに差し込むことでケースを建築物に保持するものが開示されている。当該装置においては、ケース内に震度を判定する手段と、漏電を発生させる漏電発生部とを備えており、所定の震度以上の地震が発生した際に、漏電を発生させて漏電ブレーカを遮断することが行われている。
【先行技術文献】
【特許文献】
【０００４】
【特許文献１】特開２０１５−１７０５８７号公報
【発明の概要】
【発明が解決しようとする課題】
【０００５】
特許文献１に記載の装置においては、感震センサによって地震の揺れを検出しているが、この感震センサは加速度センサ等のセンサであり、このようなセンサの感度には指向性がある。従って、特許文献１に記載の装置の場合、加速度センサが正しく作動するような基準状態に設置しなければ、正確な震度を検出することができない。
【０００６】
しかしながら、一般家庭や事業所等の建築物におけるコンセントタップは、その形状や取り付けられている環境が様々であり、ケースを基準状態に取り付けることができない場合がある。
【０００７】
これでは、ケースの設置状態によって当該装置で正確に震度が検出することができず、本来漏電ブレーカを遮断しなければならない震度であっても、漏電発生部が作動しないおそれがある。あるいは、遮断に至らない震度であっても過敏に作動するおそれがある。
【０００８】
また、特許文献１に記載の装置では、漏電発生部が作動しないような震度の地震の発生で、建築物が傾く等の損傷を受けた場合であっても、漏電ブレーカを遮断することができない。
【０００９】
本発明は、上記不都合を解消するために、建築物のコンセントタップの形状や、周囲の環境に対応させて、正確に震度を検出して震度に応じて適切に漏電ブレーカを遮断することができる感震式ブレーカ制御装置を提供することを目的とする。また、本発明は、震度に関わりなく、建築物が傾く等の事態となった際にも漏電ブレーカを遮断することができる感震式ブレーカ制御装置を提供することを目的とする。
【課題を解決するための手段】
【００１０】
上記目的を達成するために、本発明の感震式ブレーカ制御装置は、コンセントタップを備えた建築物に保持されるケースと、コンセントタップに差し込まれる差込プラグと、前記コンセントタップのアース端子に接続されるアース端子と、地震による揺れを検知する地震検知部と、前記建築物に設けられた漏電ブレーカを作動させて電源の遮断を行うブレーカ作動部とを備え、前記地震検知部は、加速度により震度を検知する加速度検知部と、前記ケースが前記建築物に保持された際に、前記ケースの基準設置状態に対する角度を検知する角度検知部を有し、前記ケースは、前記建築物に保持された際の角度を修正して前記基準設置状態にすることが可能な角度修正手段を備えていることを特徴とする。
【００１１】
本発明の感震式ブレーカ制御装置によれば、コンセントタップの形状や、コンセントタップが取り付けられている箇所の周囲の環境によって、従来の装置ではケースを基準設置状態にすることができない場合であっても、角度修正手段によりケースを基準設置状態にすることができる。従って、本発明では、コンセントタップや周囲の状況にかかわらず、ケースを正常な姿勢に保つことができるので、地震検知部における震度の検知が正確に行われる。
【００１２】
また、本発明の感震式ブレーカ制御装置によれば、角度検知部により建築物の倒壊等を検知する場合、角度修正手段によりケースを基準設置状態にできるため、常に正確にケースの角度を検知することができる。なお、加速度検知部と角度検知部は、角度検知機能付き加速度センサを用いてもよく、別個のセンサを用いてもよい。
【００１３】
また、本発明の感震式ブレーカ制御装置において、前記角度修正手段は、前記ケースに設けられた雌ねじ部にねじ結合され、前記ケースに対して進退自在に形成された雄ねじ部を有し、前記ケースの表面側に露出し、前記ケースを前記建築物に保持した状態で表面側から回転可能であることが好ましい。当該構成によれば、ケースを建築物に保持した状態で、ケースの表面側からケースの角度を修正することができる。
【００１４】
また、本発明の感震式ブレーカ制御装置において、前記角度修正手段は、前記ケースに設けられた凹部と、前記凹部に差し込むことで固定される突出部材であり、前記突出部材は、前記凹部に差し込まれる向きを変更することにより、前記ケースからの突出量を変更可能にしてもよい。当該構成によれば、ケースに凹部を設け、ケースからの突出量を変更できる突出部材という簡易な構成によりケースの角度を修正することができる。
【００１５】
また、本発明の感震式ブレーカ制御装置において、前記差込プラグが前記ケースに着脱自在に形成されており、前記差込プラグに代えて、前記ケースとは別個に設けられ前記ケースから延びる延長差込プラグを装着可能であることが好ましい。当該構成によれば、差込プラグを装着することによって、ケースをコンセントタップに直接保持させることができる。また、差込プラグをケースから取り外し、ケースを建築物に直接保持させて、延長差込プラグをコンセントタップに差し込むことができる。
【００１６】
また、本発明の感震式ブレーカ制御装置において、前記地震検知部の検知結果を記憶する不揮発性メモリからなる記憶部と、前記差込プラグが前記コンセントタップに差し込まれた際に、所定時間、前記地震検知部による検知を確保する蓄電部と、前記記憶部における検知結果を消去するキャンセル手段とを備えていることが好ましい。当該構成によれば、ブレーカ制御装置をコンセントタップに接続した後に、ブレーカ制御装置を取り外して再度コンセントタップに接続する必要が生じた際、仮にブレーカ制御装置に振動が加わったり角度が許容範囲を超えた場合であっても、キャンセル手段により地震の誤検出及び誤記憶を防止することができる。
【００１７】
また、本発明の感震式ブレーカ制御装置において、前記アース端子は、３穴のコンセントタップのアース用の穴に挿入可能なアースピンが着脱自在に形成されると共に、前記アースピンを取り外して２穴のコンセントタップのアース端子に導通ケーブルを介して接続可能に形成され、前記ケースは、前記建築物に対面する対向面に、前記導通ケーブルとの干渉を防止するケーブル用溝が設けられていることが好ましい。
【００１８】
当該構成によれば、本発明の感震式ブレーカ制御装置を、コンセントタップが３穴であっても２穴であっても設置することができる。また、２穴のコンセントタップに設置する場合、ケースと導通ケーブルが干渉しないので、ケースを基準設置状態に保つことができる。
【図面の簡単な説明】
【００１９】
【図１】本発明の実施形態の一例であるブレーカ制御装置と、３穴のコンセントタップを示す説明図。
【図２】本実施形態のブレーカ制御装置の内部構造を示す模式図。
【図３】本実施形態のブレーカ制御装置を表面側から見た斜視図。
【図４】本実施形態のブレーカ制御装置をコンセントタップに装着した状態を示す説明図。
【図５】本実施形態のブレーカ制御装置において、アースピンを取り外してアース端子に導通ケーブルを接続した状態を示す説明図。
【図６】本実施形態のブレーカ制御装置において、プラグ保持部を取り外した状態を示す説明図。
【図７】図６のブレーカ制御装置を壁取り付け用ケースに取り付けた状態を示す説明図。
【図８】本実施形態のブレーカ制御装置を２穴のコンセントタップに取り付ける状態を示す説明図。
【図９】図８のブレーカ制御装置を２穴のコンセントタップに装着した状態を示す説明図。
【図１０】スペーサタイプの角度調整部を有するブレーカ制御装置を示す説明図。
【発明を実施するための形態】
【００２０】
次に、図１乃至図１０を参照して、本発明の実施形態の一例である感震式ブレーカ制御装置について説明する。本実施形態の感震式ブレーカ制御装置（以下「ブレーカ制御装置１」）は、一対の差込プラグ用の穴３１と、アース用の穴３２が設けられた３穴のコンセントタップ３０（図１参照）、及び差込プラグ用の穴３１とアース端子３４が設けられた２穴のコンセントタップ３３に装着可能な装置である（図５参照）。
【００２１】
図１に示すように、ブレーカ制御装置１は、大略直方体形状のケース２と、ケースから突出し、コンセントタップ３０の差込プラグ用の穴３１に差し込まれる一対の差込プラグ３と、アース端子４（図２参照）に取り付けられたアースピン５とを備えている。アースピン５は、コンセントタップ３０のアース用の穴３２に挿入可能であり、アース端子４にねじ結合で固定されている（図５参照）。
【００２２】
ケース２は、合成樹脂の中空の成形品であり、コンセントタップ３０に対面する対向面２ａから差込プラグ３及びアースピン５が突出している。なお、差込プラグ３はプラグ保持部２８に固定されており、このプラグ保持部２８はケース２に着脱自在に装着されている。
【００２３】
ケース２の内部には、図２に示すように、地震を検知する地震検知部として、地震による揺れを検出する加速度センサ６（加速度検知部）が内蔵されている。この加速度センサ６は、角度検知機能を有しており、角度検知部としても機能する。
【００２４】
また、ケース２の内部には、マイクロコンピュータ、メモリ等により構成される制御部７が内蔵されている。制御部７は、加速度センサ６の検出値から所定の震度の地震が発生したか否かを判定する判定部８と、後述するスピーカ１３を用いて警報を発する警報部９とを備えている。また、制御部７は、地震検知部により検知された地震情報を記憶する記憶部１０と、時間の計測を行うタイマ部１１と、一対の差込プラグ３の極性を変更させる極性変更部１２とを備えている。
【００２５】
また、ケース２の内部には、地震発生時に警報を鳴らすためのスピーカ１３と、停電が発生した際に所定時間制御部７及び各センサの作動を継続させる蓄電部１４が設けられている。また、ケース２の内部には、建築物に設けられた漏電ブレーカ（図示省略）を作動させて電源の遮断を行うブレーカ作動部１５が内蔵されている。
【００２６】
また、図３に示すように、ケース２の表面には、操作パネル１６が設けられている。この操作パネル１６には、リセットスイッチ１７及びテストスイッチ１８が設けられており、さらに電源が供給されていることを示す電源表示１９と、所定の震度以上の震度の地震があったことを示す感震表示２０と、スピーカ１３用の穴が形成されている。
【００２７】
図１に示すように、ケース２の側面には、ケース２をコンセントタップ３０に差し込む際に持ち易いように表面が窪んだ把持部２ｂが形成されている。また、図３に示すように、一方の把持部２ｂには、キャンセルボタン２２（キャンセル手段）が設けられている。このキャンセルボタン２２は、加速度センサ６により検知され、記憶部１０に記憶された検知結果を消去する機能を有している。
【００２８】
図１を参照して、ケース２の対向面２ａには、ブレーカ制御装置１をコンセントタップ３０に取り付けた際に、ケース２の姿勢を調整する角度修正部２３（角度修正手段）が設けられている。この角度修正部２３は、表面に雄ねじ部２３ａが形成されたねじ部材であり、ケース２に設けられた雌ねじ部２４（図２参照）にねじ結合されて対向面２ａに対して進退自在に形成されている。
【００２９】
また、ケース２の対向面２ａには、図１に示すように、アースピン５を使用しない場合に、コンセントタップ３０のアース端子に接続される導通ケーブル３５を接続するための第２アース端子２５が設けられている。また、ケース２の対向面２ａには、アースピン５を取り外した際に、アースピン５を保持するアースピン収納部２６が形成されている。
【００３０】
この第２アース端子２５は、ケース２の内部でアース端子４に接続されており、導通ケーブル３５を介して２穴のコンセントタップ３３のアース端子３４に接続可能に形成されている。また、第２アース端子２５の周囲は、導通ケーブル３５が接続された場合であっても、ケース２の対向面２ａとコンセントタップ３０の表面との間に導通ケーブル３５が干渉しないようにケーブル用溝２７が設けられている。
【００３１】
本実施形態のブレーカ制御装置１は、図４に示すように、建築物のコンセントタップ３０に直接差し込まれてコンセントタップ３０によって保持される。差込プラグ用の穴３１が上下に２個設けられているコンセントタップ３０では、通常下方の差込プラグ用の穴３１に取り付けられる。
【００３２】
ブレーカ制御装置１をコンセントタップ３０に取り付ける際には、作業者は指で把持部２ｂを持って差込プラグ３及びアースピン５を、差込プラグ用の穴３１とアース用の穴３２に差し込む。
【００３３】
ブレーカ制御装置１がコンセントタップ３０に取り付けられると、制御部７は、ケース２の角度が基準設置状態に対して許容角度の範囲内であるか初期チェックを行う。ケース２が傾いており、基準設置状態からの許容角度であるプラスマイナス５°を超えると、電源表示１９が点灯し、感震表示２０が点滅すると共に、警報部９によってスピーカ１３から警報音が発せられる。
【００３４】
このように、初期チェックにおいてケース２の取付角度の異常が検知されると、制御部７は、通常の地震検知を行わないように設定されている。従って、作業者は、ブレーカ制御装置１をコンセントタップ３０から取り外し、再度の設置作業を行う必要がある。このとき、角度修正部２３のケース２からの突出量を調整し、ケース２が基準設置状態となるようにしておく。
【００３５】
ブレーカ制御装置１をコンセントタップ３０から取り外した後は、この状態でケース２の傾きをプラスマイナス５°以内に維持すると、電源表示１９が点灯し、感震表示２０は消灯状態、警報音も鳴らない状態となる。従って、作業者は、これらの表示と警報音により、容易にケース２を基準設置状態及び許容角度内にすることができる。
【００３６】
ブレーカ制御装置１がコンセントタップ３０に装着されると、図４に示すように、ケース２の対向面２ａの下方部分は、コンセントタップ３０の表面から離れており、建築物の壁面Ｗと対面する。本実施形態のブレーカ制御装置１では、角度修正部２３が設けられており、この角度修正部２３の長さを対向面２ａから壁面Ｗまでの間隔に調整することにより、ケース２を基準設置状態に保つことができる。
【００３７】
ここで、基準設置状態とは、ケース２に内蔵されている加速度センサ６が正しく作動する状態をいう。本実施形態では、ケース２の対向面２ａが垂直方向を向いている図４に示す状態がこれにあたる。
【００３８】
ここで、正しく設置されたブレーカ制御装置１をコンセントタップ３０から取り外す必要が生じた場合は、作業者はキャンセルボタン２２を押しながら作業を行うようにする。ブレーカ制御装置１がコンセントタップ３０に取り付けられると、蓄電部１４に電力が蓄電される。この蓄電部１４に蓄電された電力によって、電源の供給がない場合でも、制御部７は約８秒間地震検知を継続することができる。
【００３９】
ブレーカ制御装置１を取り外して、蓄電部１４に電力が残っている８秒以内にケース２の角度が許容範囲を超えるか、ケース２に震度５に相当する振動が生じた場合、その情報が記憶部１０に記憶される。このままの状態でコンセントタップ３０に接続すれば、制御部７は停電時に地震等が発生し、その後電力が復旧したものと判断して、ブレーカ作動部１５を作動させることになる。
【００４０】
しかしながら、作業者がキャンセルボタン２２を押しながら作業を行えば、記憶部１０に記憶された情報が消去されるので、その後にブレーカ制御装置１をコンセントタップ３０に接続した場合であっても、ブレーカ作動部１５が作動することはない。
【００４１】
次に、本実施形態のブレーカ制御装置１を２穴のコンセントタップ３３に装着する場合について説明する。２穴のコンセントタップ３３では、アース用の穴３２が設けられておらず、一対の差込プラグ用の穴３１と、差込プラグ用の穴３１の下方に設けられたアース端子３４を備えている（図５参照）。
【００４２】
本実施形態のブレーカ制御装置１を２穴のコンセントタップ３３に装着する場合、図５に示すように、アース端子４からアースピン５を取り外す。アースピン５は、アース端子４に設けられたねじ穴にねじ結合されているので、ねじを緩める方向にアースピン５を回転させることにより、アース端子４からアースピン５を取り外すことができる。
【００４３】
また、ブレーカ制御装置１の第２アース端子２５に導通ケーブル３５の一端を接続する。この導通ケーブル３５の他端は、コンセントタップ３３のアース端子３４に接続する。これらの接続は、各アース端子に設けられたビスによって行う。なお、取り外したアースピン５は、アースピン収納部２６に収納することにより、紛失を防止することができる。
【００４４】
この状態から、ブレーカ制御装置１の差込プラグ３をコンセントタップ３３の差込プラグ用の穴３１に差し込むことにより、ブレーカ制御装置１をコンセントタップ３３に装着する。このとき、導通ケーブル３５がブレーカ制御装置１の対向面２ａに接続されているが、対向面２ａにはケーブル用溝２７が設けられているため、導通ケーブル３５がブレーカ制御装置１とコンセントタップ３３との間に挟まることがない。
【００４５】
また、ブレーカ制御装置１を２穴のコンセントタップ３３に装着する場合も、角度修正部２３の対向面２ａからの突出量を調整することにより、ブレーカ制御装置１を基準設置状態で保持させることができる。
【００４６】
ここで、本実施形態のブレーカ制御装置１は、ケース２の上下を逆にしてコンセントタップ３３に取り付けることができる。このとき、制御部７の極性変更部１２が差込プラグ３の極性を検知して、プラスマイナスが逆の際に、正しい極性に変換するようになっている。
【００４７】
また、本実施形態のブレーカ制御装置１は、図６に示すように、プラグ保持部２８を取り外すことにより、ケース２から差込プラグ３を取り外すことができるようになっている。これは、ケース２を直接コンセントタップ３０，３３に取り付けるのではなく、ケース２を壁に取り付けることができるようにするためである。
【００４８】
この場合は、図７に示すように、差込プラグ３に代えて、壁取り付け用ケース２８ａを装着する。壁取り付け用ケース２８ａには２穴用の延長差込プラグ２８ｂが設けられている。この延長差込プラグ２８ｂは、ケース２から延びてコンセントタップ３３の差込プラグ用の穴３１に差し込んで電源を確保する。この延長差込プラグ２８ｂは、ケース２とは別個に設けられており、壁取り付け用ケース２８ａ内で、通常は差込プラグ３に接続される端子（図示省略）に接続されている。
【００４９】
次に、本実施形態のブレーカ制御装置１の地震時の作動について説明する。本実施形態のブレーカ制御装置１は、震度５の地震を検知した際にブレーカ作動部１５を作動させて漏電ブレーカを遮断するように設定されている。また、本実施形態のブレーカ制御装置１では、ケース２の角度がプラスマイナス５°以上傾いた際に、建築物が倒壊したと判定してブレーカ作動部１５を作動させるように設定されている。
【００５０】
地震が発生する前の状態では、ブレーカ制御装置１は、図４に示すように、一対の差込プラグ３がコンセントタップ３０の差込プラグ用の穴３１に差し込まれており、アースピン５がアース用の穴３２に差し込まれることにより、コンセントタップ３０に保持されている。また、ケース２は角度修正部２３によって基準設置状態に保たれている。
【００５１】
この状態では、操作パネル１６の電源表示１９のＬＥＤが点灯しており、感震表示２０のＬＥＤは消灯している。なお、ブレーカ制御装置１が正常に作動するかどうかを確認するためにテストスイッチ１８を押すと、以下に示す地震発生時と同様の作動が行われる。
【００５２】
震度５以上の地震が発生した場合は、加速度センサ６によってその際に発生する加速度が検知され、判定部８によって震度５以上であると判定される。このように、判定部８によって震度５以上の地震が発生したと判定されると、制御部７は警報部９を作動させ、スピーカ１３から警報を発する。また、制御部７は、同時にタイマ部１１を作動させて、地震発生から所定時間（本実施形態では３分）経過したかを計測する。
【００５３】
タイマ部１１によって地震発生から所定時間経過したことが計測されると、制御部７はブレーカ作動部１５を作動させて擬似的に漏電状態を作り出すので、漏電を感知した漏電ブレーカが遮断される。これにより、建築物内の住民が地震発生直後に避難した場合であっても、漏電ブレーカが遮断されるので、電気機器による火災の発生が防止される。
【００５４】
ここで、タイマ部１１により地震発生から所定時間経過した後にブレーカ作動部１５を作動させるのは、仮に地震発生が夜であった場合、地震を検知して即座に漏電ブレーカを遮断すると、建築物内が暗くなり避難が困難となるためである。
【００５５】
ところで、震度５以上の地震が発生した場合であっても、建築物内に被害がなかった場合は、警報の発生後、３分以内に住民がリセットスイッチ１７を押すことにより、ブレーカ作動部１５の作動を行わないようにすることができる。このように、地震発生から３分以内にリセットスイッチ１７が押されると、制御部７は、ブレーカ作動部１５の作動を行わないように設定されている。
【００５６】
一方で、震度に関わりなく、何らかの原因によりケース２の角度が傾斜した場合は、角度センサの機能を有する加速度センサ６によってその角度が計測される。制御部７は、加速度センサ６の検出値がプラスマイナス５°以上である場合、建築物が倒壊したと判定して、この場合は即座にブレーカ作動部１５を作動させて漏電ブレーカを遮断する。
【００５７】
また、本実施形態においては、制御部７は、判定部８が震度５以上の地震が発生したと判定した場合、または加速度センサ６によってプラスマイナス５°以上の角度が検出された場合、これらの情報を記憶部１０に記憶させている。
【００５８】
また、本実施形態では、停電が生じた場合を想定して、蓄電部１４によって停電発生時から８秒間の間、制御部７、及び加速度センサ６の機能を保持している。さらに、記憶部１０は、本実施形態では電源が遮断された後でも情報を保持する不揮発性メモリとなっている。従って、仮に停電になった場合でも、記憶部１０に記憶された情報は消去されない。
【００５９】
仮に、停電発生時から８秒以内に震度５以上の地震が発生した場合、又はケース２の角度が５°以上傾斜した場合は、記憶部１０にこれらの情報が記憶される。その後、停電が復旧した場合、制御部７は記憶部１０に記憶されている情報から、震度５以上の地震があったか、プラスマイナス５°以上の傾斜が生じたかが判明し、いずれかの事態が生じている場合、即座にブレーカ作動部１５を作動させて漏電ブレーカを遮断する。
【００６０】
なお、上記実施形態において、判定部８は震度５以上、又はケース２の角度がプラスマイナス５°以上でブレーカ作動部１５を作動させるようにしているが、震度及び角度は任意に設定することができる。
【００６１】
また、本実施形態においては、テストスイッチ１８を所定時間（例えば２秒）長押しすることで、即座に漏電ブレーカを遮断する即時遮断機能を備えている。この即時遮断機能によれば、作業者がブレーカ制御装置１を新たに設置した際に、ブレーカ作動部１５が作動するか即座にテストを行うことができる。また、建築物の住民が即座に漏電ブレーカを遮断する必要がある際にもこの即時遮断機能が有効となる。
【００６２】
次に、本実施形態のブレーカ制御装置１の変形例について説明する。本変形例のブレーカ制御装置１Ａは、図８及び図９に示すように、角度修正部２３ｂが、ケース２の表面側からケース２の角度を調節可能となっている。図８においては、ブレーカ制御装置１Ａを２穴のコンセントタップ３３に装着する際の状態を図示している。この場合、アースピン５はアース端子４から取り外され、第２アース端子２５に導通ケーブル３５が接続されている。
【００６３】
図８及び図９に示すように、角度修正部２３ｂは、表面に雄ねじ部２３ｃが形成され、ケース２の内部の雌ねじ部２４に回転自在にねじ結合されている。角度修正部２３ｂの頭部２３ｄは、ケース２の表面側からドライバー等の工具で回転可能となるように露出している。当該構成によって、ケース２をコンセントタップ３３に装着した後に、ドライバー等でケース２の角度を変更可能となるため、ブレーカ制御装置１Ａの設置作業が容易となる。
【００６４】
また、第２の変形例のブレーカ制御装置１Ｂとしては、図１０に示すように、角度修正部２３を、ケース２に設けられた凹部２ｃに装着されるスペーサ２９（突出部材）としてもよい。このスペーサ２９は、筒状の部材であり、軸方向の中央付近にフランジ部２９ａが設けられている。図１０において、フランジ部２９ａよりもケース２側の第１軸部２９ｂの長さが、反対側の第２軸部２９ｃよりも長くなっている。
【００６５】
凹部２ｃに第１軸部２９ｂを差し込んだ場合、ケース２の端部から壁面Ｗに向けて第２軸部２９ｃが突出することになる。逆に、凹部２ｃに第２軸部２９ｃを差し込んだ場合、ケース２の端部から壁面Ｗに向けて第１軸部２９ｂが突出することになる。第１軸部２９ｂと第２軸部２９ｃは長さが異なっているので、ブレーカ制御装置１Ｂの設置場所の状況に応じてどちらの軸部を凹部２ｃに差し込むかを選択して用いることができる。
【００６６】
以上、本発明のブレーカ制御装置１Ｂの上記各実施例及び変形例について説明したが、本発明は、これらの実施例に限定されるものではない。例えば、上記実施形態では、加速度センサ６が角度検出機能付きのものとなっているが、これに限らず、角度センサを別個に設けてもよい。また、上記実施形態では、キャンセルボタン２２をケース２の側面の把持部２ｂに設けているが、これに限らず、ケース２の上面や正面に設けてもよい。
【符号の説明】
【００６７】
１，１Ａ，１Ｂ…ブレーカ制御装置、２…ケース、２ａ…対向面、３…差込プラグ、４…アース端子、５…アースピン、６…加速度センサ、７…制御部、８…判定部、９…警報部、１０…記憶部、１１…タイマ部、１２…極性変更部、１３…スピーカ、１４…蓄電部、１５…ブレーカ作動部、１６…操作パネル、１７…リセットスイッチ、１８…テストスイッチ、１９…電源表示、２０…感震表示、２２…キャンセルボタン、２３，２３ｂ…角度修正部、２５…第２アース端子、２７…ケーブル用溝、３０，３３…コンセントタップ、３１…差込プラグ用の穴、３２…アース用の穴、３４…アース端子、３５…導通ケーブル。
【図１】
2019040704.tif 000003
【図２】
2019040704.tif 000004
【図３】
2019040704.tif 000005
【図４】
2019040704.tif 000006
【図５】
2019040704.tif 000007
【図６】
2019040704.tif 000008
【図７】
2019040704.tif 000009
【図８】
2019040704.tif 000010
【図９】
2019040704.tif 000011
【図１０】
2019040704.tif 000012